(57)【要約】【課題】カメラから取り込む画像データのサイズ分の容量のワークメモリを内蔵するだけで、この画像データとＣＰＵから取り込むグラフィックスデータの合成と、合成した画像データの表示を行う。【解決手段】カメラから取り込んだ画像データを保存するワークメモリ１０５と、ＣＰＵから取り込んだグラフィックスデータを保持するラインメモリＡ１０６と、ワークメモリに保存された画像データとラインメモリＡに保持されたグラフィックスデータから合成画像データを合成する合成回路１０８と、合成画像データを保持するラインメモリＢ１０７と、ラインメモリＢに保持された合成画像データをワークメモリに転送し画像データに上書きする制御手段と、ワークメモリへ転送された合成画像データを出力する出力回路１０９とを備える。【選択図】　図１
2004085911.tif 000002
【特許請求の範囲】
【請求項１】
カメラから取り込んだ画像データを保存するワークメモリと、
ＣＰＵから取り込んだグラフィックスデータを保持する第１のラインメモリと、
前記ワークメモリに保存された画像データと前記第１のラインメモリに保持されたグラフィックスデータから合成画像データを合成する合成回路と、
前記合成画像データを保持する第２のラインメモリと、
前記第２のラインメモリに保持された合成画像データを前記ワークメモリに転送し前記画像データに上書きする制御手段と、
前記ワークメモリへ転送された合成画像データを出力する出力回路と、
を具備することを特徴とする画像合成表示装置。
【請求項２】
前記グラフィックスデータは前記グラフィックスデータの一定の領域ごとに前記画像データとの合成を判定するための透過ビットを有し、前記合成回路は前記グラフィックスデータの一定の領域ごとに前記透過ビットに従って前記グラフィックスデータまたは前記画像データを選択し前記第２のラインメモリに書き込むことを特徴とする請求項１記載の画像合成表示装置。
【請求項３】
前記出力回路は、前記ワークメモリに転送された合成画像データを任意のサイズに縮小して出力することが可能なことを特徴とする請求項１または２記載の画像合成表示装置。
【請求項４】
前記ワークメモリは、前記ワークメモリに転送された合成画像データを、前記第１のラインメモリを経由して前記ＣＰＵに送信することが可能なことを特徴とする請求項１から３のいずれか一項記載の画像合成表示装置。
【発明の詳細な説明】
【０００１】
【発明の属する技術分野】
本発明は、カメラから取り込んだ画像データとＣＰＵから取り込んだグラフィックスデータを合成し、合成した画像データを表示する画像合成表示装置に関するものである。
【０００２】
【従来の技術】
従来、カメラから取り込んだ画像データとＣＰＵから取り込んだグラフィックスデータを合成し、合成した画像データを表示する方法として、合成したいサイズ分の画像データとグラフィックスデータとをそれぞれワークメモリに保存し、出力回路にてデータの合成およびＬＣＤへの表示を行う方法が採られていた。
【０００３】
図２は、上記従来の方法による画像合成表示装置の構成を示すブロック図である。図２において、２０１はカメラ、２０２はＣＰＵ、２０３は画像合成表示装置、２０４は表示用のＬＣＤである。また、２０５はワークメモリ、２０６は合成出力回路であり、ともに画像合成表示装置２０３に内蔵される。
【０００４】
カメラ２０１から取り込まれたデータはワークメモリ２０５に画像データとして保存される。一方、ＣＰＵから取り込まれたデータはワークメモリ２０５にグラフィックスデータとして保存される。ワークメモリ２０５に保存された画像データとグラフィックスデータは、合成出力回路２０６で画像データとして合成され、ＬＣＤ２０４に表示される。
【０００５】
【発明が解決しようとする課題】
しかしながら、上記従来の画像合成表示装置では、画像データとグラフィックスデータの両方をワークメモリに保存する必要があるため、取り込んだ画像データサイズに対して倍の容量のワークメモリが必要であり、換言すれば、画像合成表示装置に内蔵しているワークメモリの容量に対して半分の容量の画像サイズしか取り込むことができないという問題があった。
【０００６】
さらに、上記従来の画像合成表示装置では、画像データとグラフィックスデータとを合成した画像データを内部に保存することができず、単に外部のＬＣＤに表示することしかできないという問題もあった。
【０００７】
本発明はかかる点に鑑みてなされたものであり、取り込む画像データのサイズ分の容量のワークメモリを内蔵するだけで、画像データとグラフィックスデータの合成と、合成した画像データのＬＣＤへの表示およびＣＰＵへの送信を行うことができる画像合成表示装置を提供することを目的とする。
【０００８】
【課題を解決するための手段】
この課題を解決するために、本発明の請求項１に係る画像合成表示装置は、カメラから取り込んだ画像データを保存するワークメモリと、ＣＰＵから取り込んだグラフィックスデータを保持する第１のラインメモリと、ワークメモリに保存された画像データと第１のラインメモリに保持されたグラフィックスデータから合成画像データを合成する合成回路と、前記合成画像データを保持する第２のラインメモリと、前記第２のラインメモリに保持された合成画像データをワークメモリに転送し画像データに上書きする制御手段と、ワークメモリへ転送された合成画像データを出力する出力回路とを具備するものである。
【０００９】
上記構成によれば、グラフィックスデータを保持するメモリとして容量が少なくて済むラインメモリを使用し、ワークメモリに保存された画像データと第１のラインメモリに保持されたグラフィックスデータから合成画像データを合成することができ、さらに合成画像データを第２のラインメモリに保持した上でワークメモリに転送して上書きするため、画像合成表示装置に内蔵するワークメモリの容量は取り込む画像データのサイズ分の容量で済むことになり、半導体チップサイズを大幅に削減することができる。また、最終的な合成画像データが、ＬＣＤに表示されるだけでなく、ワークメモリに残されるため、これを活用することができる。
【００１０】
本発明の請求項２に係る画像合成表示装置は、請求項１記載の画像合成表示装置において、前記グラフィックスデータはそのデータの一定の領域ごとに画像データとの合成を判定するための透過ビットを有し、前記合成回路はグラフィックスデータの一定の領域ごとに前記透過ビットに従ってグラフィックスデータまたは画像データを選択し第２のラインメモリに書き込むものである。
【００１１】
上記構成によれば、グラフィックスデータの一定の領域ごとに付加された透過ビットにより、選択方式で合成画像データを合成することができるため、画像の合成を高速に処理することができる。
【００１２】
本発明の請求項３に係る画像合成表示装置は、請求項１または２記載の画像合成表示装置において、前記出力回路は、ワークメモリに転送された合成画像データを任意のサイズに縮小して出力することが可能なものである。
【００１３】
上記構成によれば、任意のサイズに縮小することにより、任意のサイズのＬＣＤに対応した表示を行うことが可能となる。
【００１４】
本発明の請求項４に係る画像合成表示装置は、請求項１から３のいずれか一項記載の画像合成表示装置において、ワークメモリは、そこに転送された合成画像データを、前記第１のラインメモリを経由して前記ＣＰＵに送信することが可能なものである。
【００１５】
上記構成によれば、ワークメモリに残された合成画像データをＣＰＵに返送することにより、ＣＰＵ内で合成画像データを編集することができる。また、第１のラインメモリを経由してＣＰＵに送信することにより、ＣＰＵとのインターフェースを新たに設ける必要がないという利点がある。
【００１６】
【発明の実施の形態】
以下、本発明の実施の形態について図面を参照して説明する。
図１は、本発明の一実施の形態に係る画像合成表示装置の構成を示すブロック図である。図１において、１０１はカメラ、１０２はＣＰＵ、１０３は画像合成表示装置、１０４は表示用のＬＣＤ、１０７はラインメモリＢである。また、１０５はワークメモリ、１０６はラインメモリＡ、１０８は合成回路、１０９は出力回路であり、ともに画像合成表示装置１０３に内蔵される。
【００１７】
カメラ１０１から画像合成表示装置１０３に取り込んだＹＣｂＣｒ画像データは、ワークメモリ１０５に保存される。また、ＣＰＵ１０２から取り込んだ１ラインまたは複数ライン分のグラフィックスデータはラインメモリＡ１０６に保存される。
【００１８】
ラインメモリＡ１０６に保存されたグラフィックスデータには画像データと合成を行うか否かの判定を行う透過ビットが含まれており、合成回路１０８において１ラインまたは複数ラインごとに透過ビットによる合成判定を行い、画像データおよびグラフィックスデータのいずれか一方をラインメモリＢ１０７に保存する。
【００１９】
ラインメモリＢ１０７に保存された合成データは、図示しない制御手段により１ラインまたは複数ラインごとにワークメモリ１０５に再送信され上書き保存される。ワークメモリ１０５に上書きされた画像データは、出力回路１０９にてＲＧＢ変換とＬＣＤサイズに合わせた画像サイズへの変換が行われ、ＬＣＤ１０４に表示される。
【００２０】
また、ワークメモリ１０５の画像データは、合成が終了する時点ではすべて合成画像データに入れ替わる。この合成画像データは、１ラインまたは複数ラインごとにラインメモリ１０６を経由してＣＰＵ１０２に送信することができる。
【００２１】
【発明の効果】
以上説明したように、本発明によれば、グラフィックスデータを保持するメモリとして容量が少なくて済むラインメモリを使用することにより、必要となるワークメモリ容量が半減されるため、半導体チップサイズを大幅に削減することができる。また、合成した画像データがワークメモリに残されるため、これをＣＰＵへ送信することが可能であり、ＣＰＵ内で合成した画像データを編集することができる。
【図面の簡単な説明】
【図１】本発明の一実施の形態に係る画像合成表示装置の構成を示すブロック図。
【図２】従来の画像合成表示装置の構成を示すブロック図。
【符号の説明】
１０１、２０１　カメラ
１０２、２０２　ＣＰＵ
１０３、２０３　画像合成表示装置
１０４、２０４　ＬＣＤ
１０５、２０５　ワークメモリ
１０６、１０７　ラインメモリ
１０８　合成回路
１０９　出力回路
２０６　合成出力回路
【図１】
2004085911.tif 000003
【図２】
2004085911.tif 000004